(57)【要約】      （修正有）【課題】光エネルギースタイラスペンを提供する。【解決手段】光導体１１の遠心端１１１はケース１０の先端付近に設けられると共にケース１０の表面から露出され、光線は光導体１１の遠心端１１１から光導体１１に進入し、光導体１１の内部を経由して伝送されて光導体１１の近位端１１２から出射される。光電転換素子１３は光導体１１から出射された光線の光エネルギーを電気エネルギーへと転換させる。これにより、光エネルギースタイラスペン１００は本体のタッチコントロール機能を実行させる以外に、前記のエネルギーによりタッチパネルとの間で双方向のデータ通信を行う。【選択図】図１
0003187544.tif 000002
【実用新案登録請求の範囲】
【請求項１】
ケースと、
前記ケースに内設され、その遠心端は前記ケースの先端付近に設けられると共に前記ケースの表面から露出され、光線がその遠心端から前記光導体に進入し、その内部を経由して伝送されてその近位端から出射される光導体と、
前記ケースに内設され、前記光導体から出射する光線の光エネルギーを電気エネルギーへと転換させる光電転換素子を備える事を特徴とする、
光エネルギースタイラスペン。
【請求項２】
前記ケースの先端に設けられる導電ブロックを更に備える事を特徴とする、請求項１に記載の光エネルギースタイラスペン。
【請求項３】
前記光導体の遠心端は前記導電ブロックを包囲する事を特徴とする、請求項２に記載の光エネルギースタイラスペン。
【請求項４】
前記光導体の遠心端は前記導電ブロックを貫通させる事を特徴とする、請求項２に記載の光エネルギースタイラスペン。
【請求項５】
前記光電転換素子は集中型光電池を含む事を特徴とする、請求項１に記載の光エネルギースタイラスペン。
【請求項６】
前記光電転換素子はシリコン太陽電池を含む事を特徴とする、請求項１に記載の光エネルギースタイラスペン。
【請求項７】
前記ケースに内設される電源調節器を更に備え、前記電源調節器は前記光電転換素子により転換された電気エネルギーを受電し調節して安定化させ、安定的な電源を発生させる事を特徴とする、請求項１に記載の光エネルギースタイラスペン。
【請求項８】
前記ケースに内設され、前記電源調節器が発生させた安定的な電源を受電する駆動回路を更に備えることを特徴とする、請求項７に記載の光エネルギースタイラスペン。
【請求項９】
前記駆動回路は、プロセッサーと、前記プロセッサーの出力信号を増幅させて駆動信号を発生させ、前記ケースの先端から発信させるか、或いはタッチパネルから発信された信号を受信させる増幅器を備える事を特徴とする、請求項８に記載の光エネルギースタイラスペン。
【考案の詳細な説明】
【技術分野】
【０００１】
本考案は、光エネルギースタイラスペンに関する。
【背景技術】
【０００２】
タッチスクリーン（ｔｏｕｃｈ  ｓｃｒｅｅｎ）は一般的に指を使って操作するが、スタイラスペン（ｓｔｙｌｕｓ、或いは手書き用ペン）ではより精確な操作が可能であり、タッチスクリーンの表面を油分で汚すこともない。
【考案の概要】
【考案が解決しようとする課題】
【０００３】
しかしながら、前述した従来のスタイラスペンでは、特にアクティブスタイラスペンの欠点は電池や充電が必要な点である。長時間スタイラスペンを使用したり充電し忘れると、スタイラスペンは電力不足により使用不可能になる。
感応コイルによりタッチスクリーンから発する電磁波を受信し電源とする電磁スタイラスペン（普通はパッシブスタイラスペン）もあるが、しかし前記磁場は周囲にある他の電子装置に影響を及ぼす電磁干渉（ＥＭＩ）問題を引き起こし、また電磁波は人体にも悪影響がある。
【０００４】
そこで、本考案者は上記の欠点が改善可能と考え、鋭意検討を重ねた結果、合理的かつ効果的に課題を改善する本考案の提案に到った。
【０００５】
本考案は、このような従来の問題に鑑みてなされたものである。上記課題解決のため、本考案は、光エネルギースタイラスペンを提供することを主目的とする。即ち、タッチスクリーンの表示モジュールの光線を導入し電気エネルギーに転換し、必要な電源を光エネルギースタイラスペン内の回路に供給する。
【課題を解決するための手段】
【０００６】
上述した課題を解決し、目的を達成するために、本考案に係る光エネルギースタイラスペンは、ケースと、前記ケースに内設され、それの遠心端は前記ケースの先端付近に設けられると共に前記ケースの表面から露出され、光線はそれの遠心端から前記光導体に進入し、それの内部を経由して伝送されてそれの近位端から出射される光導体と、前記ケースに内設され、前記光導体から出射する光線の光エネルギーを電気エネルギーへと転換させる光電転換素子を備えることを特徴とする。
【図面の簡単な説明】
【０００７】
【図１】本考案の第１実施形態による光エネルギースタイラスペンを説明する概略図である。
【図２】本考案のタッチスクリーンを説明する概略図である。
【図３】本考案の第２実施形態による光エネルギースタイラスペンを説明する概略図である。
【図４】図１に示す駆動回路を説明する模式図である。
【考案を実施するための形態】
【０００８】
以下に図面を参照して、本考案を実施するための形態について、詳細に説明する。なお、本考案は、以下に説明する実施形態に限定されるものではない。
（第１実施形態）
図１は本考案の第１実施形態による光エネルギースタイラスペン１００を説明する概略図である。なお、本考案の光エネルギースタイラスペン１００はアクティブスタイラス（ａｃｔｉｖｅ  ｓｔｙｌｕｓ）であり、タッチスクリーン（ｔｏｕｃｈ  ｓｃｒｅｅｎ）と相互作用を起こす。
図２はタッチスクリーン２００を説明する概略図である。表示モジュール（例えば、液晶表示モジュール或いはＬＣＭ）２１及びタッチパネル（ＴＰ）２２を主に備え、タッチパネル２２は表示モジュール２１の上面に位置され、タッチパネル２２の上表面は接触面２２１である。このほか、表示モジュール２１は発生させる光線はタッチパネル２２を透過し接触面２２１から射出される。
【０００９】
この好ましい実施形態では、光エネルギースタイラスペン１００は光チューブ（ｌｉｇｈｔ  ｔｕｂｅ）や光ファイバー等のケース１０に内設される少なくとも１つの光導体（ｌｉｇｈｔ  ｇｕｉｄｅ）１１を備える。
光導体１１の遠心端（ｄｉｓｔａｌ  ｅｎｄ）はケース１０の先端（ｔｉｐ）１２１付近に設けられ、前記先端１２１には通常導電ブロック（金属ブロック等）１２が設置される。図１に示すように、光導体１１の遠心端１１１はケース１０の表面から露出されると共に導電ブロック１２を包囲させる。
【００１０】
（第２実施形態）
図３は本考案の第２実施形態による光エネルギースタイラスペン１００を説明する概略図である。図３に示すように、光導体１１の遠心端１１１はケース１０の表面から露出されると共にケース１０の先端１２１にほぼ重合され、導電ブロック１２は光導体１１（つまり、光導体１１の遠心端１１１は導電ブロック１２の中心を貫通させる）を包囲させる。
【００１１】
ケース１０の先端１２１がタッチスクリーン２００の接触面２２１に接近するか接触すると、接触面２２１から射出される光線は光導体１１の遠心端１１１から光導体１１に進入し、光導体１１の内部を経由して伝送され光導体１１の近位端（ｐｒｏｘｉｍａｌ  ｅｎｄ）１１２から出射される。
【００１２】
なお、本実施形態の光エネルギースタイラスペン１００はケース１０に内設される光電転換素子（ｐｈｏｔｏｖｏｌｔａｉｃ）１３を更に備える。光電転換素子１３は光起電力効果（ｐｈｏｔｏｖｏｌｔａｉｃ  ｅｆｆｅｃｔ）により光導体１１から出射される光線の光エネルギーを電気エネルギーへと転換（電流等）する。光電転換素子１３は集中型光電池（化合物（ｃｈｅｍｉｃａｌ  ｃｏｍｐｏｕｎｄ−ｂａｓｅｄ）光電池）であり、アクティブ層には一般的に、例えばガリウムヒ素（ＧａＡｓ）、ヒ化インジウム錫（ＩｎｘＧａ１−ｘＡｓ）、リン化アルミニウム（ＡｌＰ）、或いはリン化ガリウム（ＧａＰ）等のＩＩＩ―∨族化合物が使用される。
光電転換素子１３はシリコン（ｓｉｌｉｃｏｎ−ｂａｓｅｄ）太陽電池でもよく、アクティブ層には一般的にシリコンウェハーかシリコン薄膜が使用され、シリコンウェハーは単結晶シリコン（ｍｏｎｏｃｒｙｓｔａｌｌｉｎｅ  ｓｉｌｉｃｏｎ）、多結晶シリコン（ｍｕｌｔｉｃｒｙｓｔａｌｌｉｎｅ  ｓｉｌｉｃｏｎ）、或いはシリコンリボン（ｒｉｂｂｏｎ  ｓｉｌｉｃｏｎ）等であり、シリコン薄膜はテルル化カドミウム（ｃａｄｉｕｍ  ｔｅｌｌｕｒｉｄｅ、  ＣｄＴｅ）、ＣＩＧＳ（ｃｏｐｐｅｒ  ｉｎｄｉｕｍ  ｇａｌｌｉｕｍ  ｓｅｌｅｎｉｄｅ、  ＣＩＧＳ）、或いはアモルファスシリコン（ａｍｏｒｐｈｏｕｓ  ｓｉｌｉｃｏｎ、  Ａ−Ｓｉ）等である。一般的には、シリコン太陽電池の転換効率は集中型光電池の転換効率より低い。
【００１３】
本実施形態の光エネルギースタイラスペン１００はケース１０に内設される電源調節器１４を更に備える。電源調節器１４は前述の光電転換素子１３により転換された電気エネルギー（例えば電流）を受電させると共に調節して安定化させ、安定的な電源を発生させる。電源調節器１４には従来の電源調節器の実施回路が用いられるため詳述は省く。
【００１４】
本実施形態では選択的にケース１０に内設される電源保存素子１５を備える。電源保存素子１５は充電式（ｒｅｃｈａｒｇｅａｂｌｅ）電池ないしはスーパーキャパシタ（ｓｕｐｅｒｃａｐａｃｉｔｏｒ）であり、光電転換素子１３が転換させた電気エネルギーの一部を蓄電する。
【００１５】
上述の電源調節器１４から出力される安定的な電源はケース１０に内設される駆動回路１６に電力を供給する。図４は駆動回路１６を示す模式図である。
本実施形態によると、駆動回路１６はプロセッサー（例えば、マイクロプロセッサー）１６１を主に備え、出力信号は増幅器（例えば、運算増幅器）１６２により増幅された後に駆動信号を形成させ、導電ブロック１２で容量性カップリングする。これにより、光エネルギースタイラスペン１００ケース１０の先端１２１がタッチスクリーン２００の接触面２２１に接近するか接触すると、光エネルギースタイラスペン１００は導電ブロック１２が駆動信号を発信するかタッチパネル２２が発信する信号を受信し、タッチスクリーン２００と相互作用を起こし各種機能を実行させる。
例えば、光エネルギースタイラスペン１００の先端１２１から発信されるタッチ点信号、光エネルギースタイラスペン１００の先端１２１が押圧されて発するＺ軸信号、光エネルギースタイラスペン１００ケース１０のボタン（図示せず）から発信する信号、或いはタッチパネル２２から光エネルギースタイラスペン１００の先端１２１に伝送される信号等である。
これにより、光エネルギースタイラスペン１００は本体のタッチコントロール機能を実行させる以外、前記のエネルギーによりタッチパネル２２との間で双方向のデータ通信を行う。
【００１６】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００１７】
１００  光エネルギースタイラスペン
１０    ケース  
１１    光導体
１１１  光導体の遠心端
１１２  光導体の近位端
１２    導電ブロック
１２１  スタイラスペンの先端
１３    光電転換素子
１４    電源調節器
１５    電源保存素子
１６    駆動回路
１６１  プロセッサー
１６２  増幅器
２００  タッチスクリーン
２１    表示モジュール
２２    タッチパネル
２２１  接触面
【図１】
0003187544.tif 000003
【図２】
0003187544.tif 000004
【図３】
0003187544.tif 000005
【図４】
0003187544.tif 000006
【手続補正書】
【提出日】平成25年9月26日(2013.9.26)
【手続補正１】
【補正対象書類名】実用新案登録請求の範囲
【補正対象項目名】全文
【補正方法】変更
【補正の内容】
【実用新案登録請求の範囲】
【請求項１】
ケースと、
前記ケースに内設され、その遠心端は前記ケースの先端付近に設けられると共に前記ケースの表面から露出され、光線がその遠心端から進入し、その内部を経由して伝送されてその近位端から出射される光導体と、
前記ケースに内設され、前記光導体から出射する光線の光エネルギーを電気エネルギーへと転換させる光電転換素子を備える事を特徴とする、
光エネルギースタイラスペン。
【請求項２】
前記ケースの先端に設けられる導電ブロックを更に備える事を特徴とする、請求項１に記載の光エネルギースタイラスペン。
【請求項３】
前記光導体の遠心端は前記導電ブロックを包囲する事を特徴とする、請求項２に記載の光エネルギースタイラスペン。
【請求項４】
前記光導体の遠心端は前記導電ブロックを貫通させる事を特徴とする、請求項２に記載の光エネルギースタイラスペン。
【請求項５】
前記光電転換素子は集中型光電池を含む事を特徴とする、請求項１に記載の光エネルギースタイラスペン。
【請求項６】
前記光電転換素子はシリコン太陽電池を含む事を特徴とする、請求項１に記載の光エネルギースタイラスペン。
【請求項７】
前記ケースに内設される電源調節器を更に備え、前記電源調節器は前記光電転換素子により転換された電気エネルギーを受電し調節して安定化させ、安定的な電源を発生させる事を特徴とする、請求項１に記載の光エネルギースタイラスペン。
【請求項８】
前記ケースに内設され、前記電源調節器が発生させた安定的な電源を受電する駆動回路を更に備えることを特徴とする、請求項７に記載の光エネルギースタイラスペン。
【請求項９】
前記駆動回路は、プロセッサーと、前記プロセッサーの出力信号を増幅させて駆動信号を発生させ、前記ケースの先端から発信させるか、或いはタッチパネルから発信された信号を受信させる増幅器を備える事を特徴とする、請求項８に記載の光エネルギースタイラスペン。